(57)【要約】【課題】指定された位置の撮像依頼に対して作業者による誤った位置の撮像を抑制することが可能な仕組みを提供すること。【解決手段】複数の撮像装置と該複数の撮像装置を管理する情報処理装置と携帯端末とが通信可能に接続されている情報処理システムであって、前記情報処理装置から取得する情報であって、複数の撮像装置のうち特定の撮像装置を識別可能な情報である第一の識別情報を受信する第一の取得手段と、撮像装置から取得する情報であって、該撮像装置を識別可能な情報である第二の識別情報を取得する第二の取得手段と、前記第一の取得手段で取得した前記第一の識別情報と前記第二の取得手段で取得した前記第二の識別情報が一致するか否かを判定する判定手段と、を備えることを特徴とする。【選択図】図４
2019121055.tif 000002
【特許請求の範囲】
【請求項１】
複数の撮像装置と該複数の撮像装置を管理する情報処理装置と携帯端末とが通信可能に接続されている情報処理システムであって、
前記情報処理装置から取得する情報であって、複数の撮像装置のうち特定の撮像装置を識別可能な情報である第一の識別情報を受信する第一の取得手段と、
撮像装置から取得する情報であって、該撮像装置を識別可能な情報である第二の識別情報を取得する第二の取得手段と、
前記第一の取得手段で取得した前記第一の識別情報と前記第二の取得手段で取得した前記第二の識別情報が一致するか否かを判定する判定手段と、
を備えることを特徴とする情報処理システム。
【請求項２】
前記情報処理システムは、前記判定手段で前記第一の識別情報と前記第二の識別情報が一致するか否かを判定した結果に応じて、判定結果を通知する通知手段を備えることを特徴とする請求項１に記載の情報処理システム。
【請求項３】
前記携帯端末は、所定の範囲を撮像する撮像部を制御する撮像制御手段を更に備え、
前記撮像制御手段は、前記判定手段で前記第一の識別情報と前記第二の識別情報が一致したと判定された場合には、前記撮像部で撮像するように制御する請求項１または２に記載の情報処理システム。
【請求項４】
前記情報処理装置は、前記撮像制御手段で撮像された撮像画像を記憶する記憶手段を更に備え、
前記記憶手段は、前記撮像画像を前記第一の識別情報および前記第二の識別情報と対応付けて記憶することを特徴とする請求項３に記載の情報処理システム。
【請求項５】
前記情報処理装置は、前記記憶手段で記憶した前記撮像画像を表示するように制御する表示制御手段を更に備え、
前記表示制御手段は、前記撮像装置で撮像された画像と前記携帯端末で撮像された撮像画像とが前記第一の識別情報および前記第二の識別情報で対応づいて前記記憶手段により格納されている場合には、前記撮像装置で撮像された画像と前記携帯端末で撮像された撮像画像との対応関係を識別可能に表示することを特徴とする請求項４に記載の情報処理システム。
【請求項６】
複数の撮像装置と該複数の撮像装置を管理する情報処理装置と携帯端末とが通信可能に接続されている情報処理システムの制御方法であって、
前記情報処理装置から取得する情報であって、複数の撮像装置のうち１の撮像装置を識別可能な情報である第一の識別情報を受信する第一の取得ステップと、
撮像装置から取得する情報であって、該撮像装置を識別可能な情報である第二の識別情報を取得する第二の取得ステップと、
前記第一の取得ステップで取得した前記第一の識別情報と前記第二の取得ステップで取得した前記第二の識別情報が一致するか否かを判定する判定ステップと、
を備えることを特徴とする情報処理システムの制御方法。
【請求項７】
コンピュータを、請求項１から５のいずれか１項に記載された情報処理システムの各手段として機能させるためのプログラム。
【発明の詳細な説明】
【技術分野】
【０００１】
本発明は、情報処理システム、その制御方法、およびプログラムに関する。
【背景技術】
【０００２】
大規模な圃場を管理し経営する農業経営者は、各圃場の状態を監視し管理するために定点カメラを複数設置し、定期的に圃場を撮像することで撮像した画像から圃場の状態を確認している。
【０００３】
また、農業経営者は、定点カメラで撮像された画像から異常を発見した場合には、異常を発見した圃場の状態を確認するために、必要に応じて遠隔地の農業作業者に対し画像の取得を依頼する。当該依頼に対し農業作業者は、指定された圃場を撮像し、撮像した画像を農業経営者宛に送信する。そして農業経営者、定点カメラの画像とともに農業作業者から受信した画像を確認して、圃場の状態を確認するといった運用が行われている。
【０００４】
特定の場所に関する画像を容易に管理するために、例えば、特許文献１のしくみでは、位置情報に基づいて画像の格納場所を設定し、当該位置情報に関連する画像は設定した格納場所に保存するしくみが開示されている。ここで、特許文献１には、位置情報の取得にＧＰＳ（Ｇｌｏｂａｌ  Ｐｏｓｉｔｉｏｎｉｎｇ  Ｓｙｓｔｅｍ）を用いることが開示されている。
【先行技術文献】
【特許文献】
【０００５】
【特許文献１】特開２０１６−１２２３２号公報
【発明の概要】
【発明が解決しようとする課題】
【０００６】
しかしながら、特許文献１に記載の技術のように、ＧＰＳの情報では位置情報の精度が十分とはいえない。例えば、農業経営者が、複数の圃場が隣接する場合に、ＧＰＳの情報を基に撮像すべき圃場を依頼すると誤った位置を指定する可能性がある。そのため、当該依頼を受けた農業作業者は、誤った圃場の画像を撮像してしまうおそれがあった。
【０００７】
そこで、本発明は、上記の課題に鑑みてなされたものであり、指定された位置の撮像依頼に対して作業者による誤った位置の撮像を抑制することが可能な仕組みを提供することを目的とする。
【課題を解決するための手段】
【０００８】
上記の目的を達成するために、本発明は、複数の撮像装置と該複数の撮像装置を管理する情報処理装置と携帯端末とが通信可能に接続されている情報処理システムであって、前記情報処理装置から取得する情報であって、複数の撮像装置のうち特定の撮像装置を識別可能な情報である第一の識別情報を受信する第一の取得手段と、撮像装置から取得する情報であって、該撮像装置を識別可能な情報である第二の識別情報を取得する第二の取得手段と、前記第一の取得手段で取得した前記第一の識別情報と前記第二の取得手段で取得した前記第二の識別情報が一致するか否かを判定する判定手段と、を備えることを特徴とする。
【発明の効果】
【０００９】
本発明によれば、指定された位置の撮像依頼に対して作業者による誤った位置の撮像を抑制することが可能な仕組みを提供することができる。
【図面の簡単な説明】
【００１０】
【図１】本発明の実施形態における情報処理システムのシステム構成の一例を示す図である。
【図２】本発明の実施形態におけるサーバ装置１０１のハードウェア構成の一例を示す図である。
【図３】本発明の実施形態における携帯端末１０３のハードウェア構成の一例を示す図である。
【図４】本発明の実施形態における定点カメラ１０４のハードウェア構成の一例を示す図である。
【図５】本発明の実施形態における情報処理装置１０５のハードウェア構成の一例を示す図である。
【図６】本発明の実施形態における情報処理システムの機能構成図の一例を示す。
【図７】本発明の実施形態における定点カメラ１０４による定期的な撮像が行われる際のフローチャートを示す。
【図８】本発明の実施形態における圃場確認依頼から圃場の撮像実施までのフローチャートを示す。
【図９】本発明の実施形態における情報処理装置１０５での画像データ表示までのフローチャートを示す。
【図１０】本発明の実施形態における情報処理装置１０５で画像データを表示する際の表示画面の一例を示す。
【図１１】本発明の実施形態における携帯端末１０３が圃場確認依頼を受信した際の表示画面の一例を示す。
【図１２】本発明の実施形態における携帯端末１０３が定点カメラ１０４に接続した際の表示画面の一例を示す。
【図１３】本発明の実施形態における携帯端末１０３が撮像を行う際の表示画面の一例を示す。
【図１４】本発明の実施形態における画像データテーブル１４００の一例を示す。
【発明を実施するための形態】
【００１１】
以下、図面を参照して、本発明の一実施形態を詳細に説明する。尚、以下説明する実施形態は、本発明を具体的に実施した場合の一例を示すもので、特許請求の範囲に記載した構成の具体的な実施形態の１つである。
【００１２】
本実施形態における情報処理システムの一例を図１に示す。図１は、第一の実施形態における情報処理システムのシステム構成の一例を示す図である。情報処理システムは、サーバ装置１０１と、携帯端末１０３と、定点カメラ１０４と、情報処理装置１０５とがＷＡＮ１０２上で通信可能に接続されている。
【００１３】
サーバ装置１０１は、携帯端末１０３、定点カメラ１０４、情報処理装置１０５等の通信可能な各デバイスと接続し、画像データ（撮像画像）の取得と管理を行う。また、サーバ装置１０１と通信可能に接続された各デバイスからのリクエストに応じて画像データを出力する機能を持つ。
【００１４】
携帯端末１０３は、作業者が利用する端末であり、サーバ装置１０１と通信し、確認するべき圃場の位置情報の取得や圃場確認依頼の受信、撮像した画像データの送信等の処理を行う機能を持つ。
【００１５】
定点カメラ１０４は、サーバ装置１０１と通信して、定期的に撮像した画像データのアップロードなどを行う機能を持つ。
【００１６】
情報処理装置１０５は、農業経営者が利用する端末であり、サーバ装置１０１と通信して各圃場の画像データの表示や、作業者（携帯端末１０３）への圃場確認依頼を発行する。
【００１７】
尚、図１のワイドエリアネットワーク（ＷＡＮ）１０２上に接続される各種端末の構成は一例であり、用途や目的に応じて様々な構成例があることは言うまでもない。以上が、本実施形態における情報処理システムのシステム構成の一例である。
【００１８】
次に、図２を用いてサーバ装置１０１のハードウェア構成について説明する。図２は、サーバ装置１０１のハードウェア構成を示す図である。
【００１９】
ＣＰＵ２０１は、システムバス２０４に接続される各デバイスやコントローラを統括的に制御する。
【００２０】
また、ＲＯＭ２０２あるいは外部メモリ２１１には、ＣＰＵ２０１の制御プログラムであるＢＩＯＳ（Ｂａｓｉｃ  Ｉｎｐｕｔ  ／  ＯｕｔｐｕｔＳｙｓｔｅｍ）やオペレーティングシステムプログラム（以下、ＯＳ）が記憶されている。また、ＲＯＭ２０２あるいは外部メモリ２１１には、各サーバ或いは各ＰＣの実行する機能を実現するために必要な各種プログラム等が記憶されている。ＲＡＭ２０３は、ＣＰＵ２０１の主メモリ、ワークエリア等として機能する。
【００２１】
ＣＰＵ２０１は、処理の実行に際して必要なプログラム等をＲＡＭ２０３にロードして、プログラムを実行することで各種動作を実現するものである。
【００２２】
また、入力コントローラ（入力Ｃ）２０５は、キーボード等の入力デバイス２０９や不図示のマウス等のポインティングデバイスからの入力を制御する。
【００２３】
ビデオコントローラ（ＶＣ）２０６は、ディスプレイ２１０等の表示器への表示を制御する。表示器はＣＲＴや液晶ディスプレイでも構わない。
【００２４】
メモリコントローラ（ＭＣ）２０７は、ブートプログラム、ブラウザソフトウエア、各種のアプリケーション、フォントデータ、ユーザファイル、編集ファイル、各種データ等を記憶するハードディスク（ＨＤ）等の外部メモリ２１１へのアクセスを制御する。また、メモリコントローラ（ＭＣ）２０７は、フレキシブルディスク（ＦＤ）或いはＰＣＭＣＩＡカードスロットにアダプタを介して接続されるカード型メモリ等の外部メモリ２１１へのアクセスを制御する。
【００２５】
通信Ｉ／Ｆコントローラ（通信Ｉ／ＦＣ）２０８は、ネットワークを介して、外部機器と接続・通信するものであり、ネットワークでの通信制御処理を実行する。例えば、ＴＣＰ／ＩＰを用いたインターネット通信等が可能である。
【００２６】
尚、ＣＰＵ２０１は、例えばＲＡＭ２０３内の表示情報用領域へアウトラインフォントの展開（ラスタライズ）処理を実行することにより、ディスプレイ２１０上での表示を可能としている。また、ＣＰＵ２０１は、ディスプレイ２１０上の不図示のマウスカーソル等でのユーザ指示を可能とする。
【００２７】
本発明の各種装置及びサーバが後述する各種処理を実行するために用いられる各種プログラム等は外部メモリ２１１に記録されており、必要に応じてＲＡＭ２０３にロードされることによりＣＰＵ２０１によって実行されるものである。さらに、本発明に係わるプログラムが用いる定義ファイルや各種情報テーブルは外部メモリ２１１に格納されている。
【００２８】
次に、図３を用いて携帯端末１０３のハードウェア構成について説明する。図３は、携帯端末１０３のハードウェア構成を示す図である。
【００２９】
ＣＰＵ３０１は、システムバス３０４に接続される各デバイスやコントローラを統括的に制御する。
【００３０】
また、ＲＯＭ３０２あるいはフラッシュメモリ３１４には、ＣＰＵ３０１の制御プログラムであるＢＩＯＳ（Ｂａｓｉｃ  Ｉｎｐｕｔ  ／  ＯｕｔｐｕｔＳｙｓｔｅｍ）やオペレーティングシステムプログラム（以下、ＯＳ）や、当該携帯端末が実行する機能を実現するために必要な、後述する各種プログラム等が記憶されている。ＲＡＭ３０３は、ＣＰＵ３０１の主メモリ、ワークエリア等として機能する。
【００３１】
ＣＰＵ３０１は、処理の実行に際して必要なプログラム等をＲＡＭ３０３にロードして、プログラムを実行することで各種動作を実現するものである。
【００３２】
また、入力コントローラ３０５は、タッチパネル３１０、マイク３１１、カメラ３１２からの入力を制御する。タッチパネル３１０からはユーザのタッチ操作に関する入力を制御し、マイク３１１からは音声の入力を制御し、カメラ３１２からは撮像された静止画、動画の入力を制御する。出力コントローラ３０６は、タッチパネル３１０、スピーカ３１３への出力を制御する。
【００３３】
タッチパネル３１０は、ユーザからのタッチ操作を検知すると共に、前述した出力コントローラ３０６から送られた映像を表示する。タッチパネル３１０は、表示器と位置入力装置とが一体となった部品である。複数の箇所に対するタッチ操作（以下、マルチタッチ）も検知可能である。また、タッチパネル３１０は、ネットワークを介して他の機器から取得した各種情報を表示する。すなわち、タッチパネル３１０は、ディスプレイ（表示部）としての機能を備えている。
【００３４】
メモリコントローラ（ＭＣ）３０７は、ブートプログラム、ブラウザソフトウエア、各種のアプリケーション、フォントデータ、ユーザファイル、編集ファイル、各種データ等を記憶するフラッシュメモリ３１４へのアクセスを制御する。本実施形態においては、フラッシュメモリとして説明を行うが、ハードディスク（ＨＤ）やフレキシブルディスク（ＦＤ）或いはＰＣＭＣＩＡカードスロットにアダプタを介して接続されるカード型メモリ等の記憶媒体であってもよい。
【００３５】
通信Ｉ／Ｆコントローラ３０９は、ネットワークを介して、外部機器と接続・通信するものであり、ネットワークでの通信制御処理を実行する。例えば、ＴＣＰ／ＩＰを用いたインターネット通信等が可能である。
【００３６】
センサコントローラ３０８は、タブレット端末１０７が備えるセンサ３１５からの入力を制御する。タブレット端末１０７のセンサ３１５には様々なセンサが存在し、例えば方位センサ、加速度センサ、ＧＰＳ（Ｇｌｏｂａｌ  Ｐｏｓｉｔｉｏｎｉｎｇ  Ｓｙｓｔｅｍ）センサである。
【００３７】
尚、ＣＰＵ３０１は、例えばＲＡＭ３０３内の表示情報用領域へアウトラインフォントの展開（ラスタライズ）処理を実行することにより、タッチパネル３１０上での表示を可能としている。
【００３８】
本実施形態における携帯端末１０３が後述する各種処理を実行するために用いられる各種プログラム等はフラッシュメモリ３１４に記録されており、必要に応じてＲＡＭ３０３にロードされることによりＣＰＵ３０１によって実行されるものである。さらに、本発明に係わるプログラムが用いる定義ファイルや各種情報テーブルはフラッシュメモリ３１４に格納されている。
【００３９】
以上で図３に示す携帯端末１０３のハードウェア構成の説明を終了する。
【００４０】
次に、図４について説明する。図４は、定点カメラ１０４のハードウェア構成を示す図である。
【００４１】
ＣＰＵ４０１は、システムバス４０４に接続される各デバイスやコントローラを統括的に制御する。
【００４２】
また、ＲＯＭ４０２あるいは外部メモリ４０８には、ＣＰＵ４０１の制御プログラムであるＢＩＯＳ（Ｂａｓｉｃ  Ｉｎｐｕｔ  ／  ＯｕｔｐｕｔＳｙｓｔｅｍ）やオペレーティングシステムプログラム（以下、ＯＳ）が記憶されている。また、ＲＯＭ４０２あるいは外部メモリ４０８には、各サーバ或いは各ＰＣの実行する機能を実現するために必要な各種プログラム等が記憶されている。ＲＡＭ４０３は、ＣＰＵ４０１の主メモリ、ワークエリア等として機能する。
【００４３】
ＣＰＵ４０１は、処理の実行に際して必要なプログラム等をＲＡＭ４０３にロードして、プログラムを実行することで各種動作を実現するものである。
【００４４】
メモリコントローラ（ＭＣ）４０７は、ブートプログラム、各種のアプリケーション、フォントデータ、ユーザファイル、編集ファイル、各種データ等を記憶するハードディスク（ＨＤ）等の外部メモリ４０８へのアクセスを制御する。また、メモリコントローラ（ＭＣ）４０７は、フレキシブルディスク（ＦＤ）或いはＰＣＭＣＩＡカードスロットにアダプタを介して接続されるカード型メモリ等の外部メモリ４０８へのアクセスを制御する。
【００４５】
カメラ部４０６は、画像処理部４０５と接続されており、監視対象に対して向けられたレンズを透過して得られた光をＣＣＤやＣＭＯＳ等の受光セルによって光電変換を行った後、ＲＧＢ信号や補色信号を画像処理部４０５に対して出力する。
【００４６】
画像処理部４０５は、ＲＧＢ信号や補色信号に基づいて、ホワイトバランス調整、ガンマ処理、シャープネス処理を行う。更に、画像処理部４０５は、ＹＣ信号処理を施して輝度信号Ｙとクロマ信号（以下、ＹＣ信号）を生成し、ＹＣ信号を所定の圧縮形式（例えばＪＰＥＧフォーマット、あるいはＭｏｔｉｏｎＪＰＥＧフォーマット等）で圧縮する。この圧縮されたデータは、画像データとして外部メモリ４０８へ一時保管される。
【００４７】
通信Ｉ／Ｆコントローラ（通信Ｉ／ＦＣ）４０９は、ネットワークを介して、外部機器と接続・通信するものであり、ネットワークでの通信制御処理を実行する。例えば、ＴＣＰ／ＩＰを用いたインターネット通信等が可能である。外部メモリ４０８に記憶された画像データは、通信Ｉ／Ｆコントローラ４０９によって外部機器へ送信される。
【００４８】
次に、図５について説明する。図５は、情報処理装置１０５のハードウェア構成を示す図である。
【００４９】
ＣＰＵ５０１は、システムバス５０４に接続される各デバイスやコントローラを統括的に制御する。
【００５０】
また、ＲＯＭ５０２あるいは外部メモリ５１１には、ＣＰＵ５０１の制御プログラムであるＢＩＯＳ（Ｂａｓｉｃ  Ｉｎｐｕｔ  ／  ＯｕｔｐｕｔＳｙｓｔｅｍ）やオペレーティングシステムプログラム（以下、ＯＳ）が記憶されている。また、ＲＯＭ５０２あるいは外部メモリ５１１には、各サーバ或いは各ＰＣの実行する機能を実現するために必要な各種プログラム等が記憶されている。ＲＡＭ５０３は、ＣＰＵ５０１の主メモリ、ワークエリア等として機能する。
【００５１】
ＣＰＵ５０１は、処理の実行に際して必要なプログラム等をＲＡＭ５０３にロードして、プログラムを実行することで各種動作を実現するものである。
【００５２】
また、入力コントローラ（入力Ｃ）５０５は、キーボード等の入力デバイス５０９や不図示のマウス等のポインティングデバイスからの入力を制御する。
【００５３】
ビデオコントローラ（ＶＣ）５０６は、ディスプレイ５１０等の表示器への表示を制御する。表示器はＣＲＴや液晶ディスプレイでも構わない。
【００５４】
メモリコントローラ（ＭＣ）５０７は、ブートプログラム、ブラウザソフトウエア、各種のアプリケーション、フォントデータ、ユーザファイル、編集ファイル、各種データ等を記憶するハードディスク（ＨＤ）等の外部メモリ５１１へのアクセスを制御する。また、メモリコントローラ（ＭＣ）５０７は、フレキシブルディスク（ＦＤ）或いはＰＣＭＣＩＡカードスロットにアダプタを介して接続されるカード型メモリ等の外部メモリ５１１へのアクセスを制御する。
【００５５】
通信Ｉ／Ｆコントローラ（通信Ｉ／ＦＣ）５０８は、ネットワークを介して、外部機器と接続・通信するものであり、ネットワークでの通信制御処理を実行する。例えば、ＴＣＰ／ＩＰを用いたインターネット通信等が可能である。
【００５６】
尚、ＣＰＵ５０１は、例えばＲＡＭ５０３内の表示情報用領域へアウトラインフォントの展開（ラスタライズ）処理を実行することにより、ディスプレイ５１０上での表示を可能としている。また、ＣＰＵ５０１は、ディスプレイ５１０上の不図示のマウスカーソル等でのユーザ指示を可能とする。
【００５７】
本発明の各種装置及びサーバが後述する各種処理を実行するために用いられる各種プログラム等は外部メモリ５１１に記録されており、必要に応じてＲＡＭ５０３にロードされることによりＣＰＵ５０１によって実行されるものである。さらに、本発明に係わるプログラムが用いる定義ファイルや各種情報テーブルは外部メモリ５１１に格納されている。
【００５８】
次に、図６を用いて本実施形態における情報処理システムの機能構成図について説明する。尚、図６に示す機能構成はあくまで一例であり、用途や目的に応じて様々な構成例があるため、これに限定されない。これらの各機能は、サーバ装置１０１のＣＰＵ２０１、携帯端末１０３のＣＰＵ３０１、定点カメラ１０４のＣＰＵ４０１、および情報処理装置１０５のＣＰＵ５０１により実行される。
【００５９】
サーバ装置１０１は、データ公開部６１１、データ受信部６１２、記憶部６１３、データソート部６１４、イベント送信部６１５を備える。
【００６０】
データ公開部６１１は、情報処理装置１０５からのリクエストに従って各圃場の画像データを出力することで画像データを公開する機能部である。ここで出力する画像データは、定点カメラ１０４で撮像された画像データと携帯端末１０３で撮像された画像データを含む。
【００６１】
データ受信部６１２は、定点カメラ１０４や携帯端末１０３から送信される画像データを受信する機能部である。
【００６２】
記憶部６１３は、データ受信部６１２で受信した定点カメラ１０４や携帯端末１０３で撮像された画像データを記憶する機能部である。記憶部６１３は、さらに定点カメラ１０４で撮像された画像データと携帯端末１０３で撮像された画像データとを定点カメラ１０４のカメラＩＤ１４０２や新規で発行するイベントＩＤ１４０３等の識別情報で対応付けて記憶することも可能である。尚、カメラＩＤ１４０２およびイベントＩＤ１４０３については、図１４の画像データテーブル１４００を用いて後述する。
【００６３】
データソート部６１４は、データ受信部６１２で受信した画像データを特定のルールに従って解析する機能部である。特定のルールによる解析とは、定点カメラ１０４の識別情報や圃場確認依頼ごとに紐づけられたイベントＩＤ１４０３の情報を用いて画像データを整理することを示す。尚、圃場確認依頼については図６の携帯端末１０３の機能構成である、圃場確認依頼受信部６３１の説明で後述する。データソート部６１４は、画像データを解析して記憶部６１３の機能により記憶し、情報処理装置１０５や他のデバイスからのリクエストに応じて必要な画像データを表示できるように画像データに関する情報を配置する機能を持つ。
【００６４】
イベント送信部６１５は、携帯端末１０３から画像データを受信した際に、情報処理装置１０５へ画像データを更新する案内を発行する機能部である。ここで、更新する画像データとは、記憶部６１３で記憶される画像データである。イベント送信部６１５から発行された案内を受け取った情報処理装置１０５は、当該案内に記載される、画像データの格納場所を示すＵＲＬに基づいて画像データを表示可能とする。
【００６５】
次に、携帯端末１０３の機能構成について説明する。携帯端末１０３は、圃場確認依頼受信部６３１、定点カメラリンク部６３２、定点カメラＩＤチェック部６３３、携帯端末写真撮像部６３４、携帯端末データ送信部６３５を備える。
【００６６】
圃場確認依頼受信部６３１は、情報処理装置１０５から送信された圃場確認依頼を受信するための機能部である。ここで、圃場確認依頼とは、定点カメラ１０４のカメラＩＤ１４０２等の圃場を特定可能な情報とともに、圃場の撮像依頼を含む情報である。また、圃場確認依頼は、携帯端末１０３に対して送信する通知される。圃場の撮像依頼の通知は携帯端末１０３の画面に表示させる通知である。尚、圃場の撮像依頼の通知は、これに限定されるものでなく、メールによる通知であってもよい。尚、本実施形態では情報処理装置１０５から圃場確認依頼が送信されるがこれに限定されるものではない。例えば、情報処理装置１０５から圃場確認依頼の要求を受け付けたことにより、サーバ装置１０１が圃場確認依頼を発行し、携帯端末１０３に送信してもよい。尚、定点カメラ１０４の名称やカメラＩＤ１４０２、および定点カメラ１０４の場所などは、携帯端末１０３のタッチパネル３１０に表示される。また、カメラＩＤ１４０２については図１４の説明部分で後述する。
【００６７】
定点カメラリンク部６３２は、定点カメラ１０４から識別情報（カメラＩＤ１４０２）を取得する機能部である。定点カメラ１０４と携帯端末１０３との接続方法は、ＮＦＣ（Ｎｅａｒ  Ｆｉｅｌｄ  Ｃｏｍｍｕｎｉｃａｔｉｏｎ）やＩｒＤＡ（Ｉｎｆｒａｒｅｄ  Ｄａｔａ  Ａｓｓｏｃｉａｔｉｏｎ）などの無線通信や、有線通信でも構わない。
【００６８】
定点カメラＩＤチェック部６３３は、定点カメラリンク部６３２で取得した識別情報（第二の識別情報）が、受信した圃場確認依頼に含まれる定点カメラ１０４の識別情報（第一の識別情報）と一致するか否かを判定する機能部である。定点カメラＩＤチェック部６３３は、それぞれ定点カメラ１０４の識別情報を判定した結果を通知する。
【００６９】
携帯端末写真撮像部６３４は、携帯端末１０３のカメラ３１２で写真の撮像を制御する機能部である（撮像制御手段）。本実施形態では、定点カメラＩＤチェック部６３３で定点カメラ１０４の識別情報を判定し、取得した２つの識別情報が一致すると判定した場合は携帯端末写真撮像部６３４の機能により撮像を行う。尚、携帯端末写真撮像部６３４は、定点カメラＩＤチェック部６３３により２つの識別情報が一致しないと判定した場合は、撮像を行わせないように撮像を制御してもよい。
【００７０】
携帯端末データ送信部６３５は、携帯端末写真撮像部６３４で撮像された写真の画像データをサーバ装置１０１へ送信する機能部である。
【００７１】
次に、定点カメラ１０４の機能構成について説明を行う。定点カメラ１０４は、定点カメラ写真撮像部６４１、定点カメラデータ送信部６４２、カメラＩＤ送信部６４３を備える。
【００７２】
定点カメラ写真撮像部６４１は、定期的に圃場の画像を撮像する機能部である。ここで、定点カメラ写真撮像部６４１は、特定のフレームレートで動画を撮像してもよい。また、定点カメラ写真撮像部６４１は、１時間あるいは１日毎等の定期的なタイミングにより画像を撮像してもよい。
【００７３】
定点カメラデータ送信部６４２は、定点カメラ写真撮像部６４１の機能により撮像した画像の画像データをサーバ装置１０１へ送信する機能部である。
【００７４】
カメラＩＤ送信部６４３は、定点カメラ１０４の識別情報（カメラＩＤ１４０２）を携帯端末１０３に送信する機能部である。カメラＩＤ送信部６４３は、携帯端末１０３の定点カメラリンク部６３２の機能を検知した際に動作する。
【００７５】
次に、情報処理装置１０５の機能構成について説明を行う。情報処理装置１０５は、圃場確認依頼送信部６５１と、表示制御部６５２を備える。
【００７６】
圃場確認依頼送信部６５１は、携帯端末１０３に対して、定点カメラ１０４の識別情報等の圃場を特定可能な情報と共に、圃場確認依頼を送信する機能部である。
【００７７】
表示制御部６５２は、情報処理装置１０５が備えるディスプレイ５１０に各種画面を表示させるよう制御する機能部である。表示制御部６５２は、サーバ装置１０１のデータ公開部６１１の機能により出力される画像データを表示する。さらに、表示制御部６５２は、サーバ装置１０１の記憶部６１３に記憶された画像データに含まれる情報に応じて、特定の画像データを他の画像データと識別可能に表示するよう制御することもできる。画像データを識別可能に表示する場合とは、例えば、定点カメラ１０４で撮像した画像データと携帯端末１０３で撮像した画像データとの対応関係が分かるように、他の画像データと対応づいた画像とを異なる表示態様で表示する場合を含む。この場合、画像データの対応付けと画像データの識別表示のために設定するパラメータは、サーバ装置１０１で設定する。そして、情報処理装置１０５はサーバ装置１０１で設定されたパラメータに基づき画像データを識別表示するよう制御する。
【００７８】
尚、上述の各機能部の動作主体は、適宜変更され得る。一例として、サーバ装置１０１が有する各種機能部が、携帯端末１０３、定点カメラ１０４、情報処理装置１０５が備える場合もあり得る。また、携帯端末１０３が有する各種機能部が、携帯端末１０３、サーバ装置１０１が備える場合もあり得る。
【００７９】
次に、図７を用いて、本発明の実施形態における、定点カメラ１０４による定期的な撮像が行われる際のフローチャートの流れを説明する。本実施形態における定点カメラ１０４は、定期的に圃場を撮像し、撮像して得られた画像データをサーバ装置１０１に送信する。
【００８０】
ステップＳ７０１では、定点カメラ１０４のＣＰＵ４０１は、現在の時刻の情報を取得する。
【００８１】
ステップＳ７０２では、定点カメラ１０４のＣＰＵ４０１は、現在の時刻が撮像すべき撮像時刻か否かを判定する。より具体的には、設定されている撮像時刻と現在の時刻とを比較し、現在の時刻が撮像時刻と同じ、または撮像時刻を過ぎていた場合はステップＳ７０３に処理を進める。現在の時刻がまだ撮像時刻に達していなかった場合は、撮像時刻に達するまでステップＳ７０２の処理を繰り返す。
【００８２】
ステップＳ７０３では、定点カメラ１０４のＣＰＵ４０１は、定点カメラ写真撮像部６４１の機能により、写真を撮像する。
【００８３】
ステップＳ７０４では、定点カメラ１０４のＣＰＵ４０１は、定点カメラデータ送信部６４２の機能により、ステップＳ７０３の撮像により取得した画像データをサーバ装置１０１に送信する。
【００８４】
ステップＳ７０５では、サーバ装置１０１のＣＰＵ２０１は、データ受信部６１２の機能により、画像データを定点カメラ１０４から受信する。
【００８５】
ステップＳ７０６では、サーバ装置１０１のＣＰＵ２０１は、データソート部６１４の機能により、ステップＳ７０５で受信した画像データを解析して、データを参照しやすい構造に変換する。データを参照しやすい構造とは、例えば図１４に示す画像データテーブル１４００の構造である。サーバ装置１０１のＣＰＵ２０１は、受信した画像データに含まれる情報を画像データテーブル１４００のように整理して格納する。
【００８６】
ここで、図１４について説明する。図１４は、本実施形態における画像データテーブル１４００の一例を示す。画像データテーブル１４００は、サーバ装置１０１に記憶する画像データに関する情報を格納するデータテーブルである。画像データテーブル１４００は、画像ＩＤ１４０１、カメラＩＤ１４０２、イベントＩＤ１４０３、ファイルパス１４０４、撮像時刻１４０５を含む。画像ＩＤ１４０１は、サーバ装置１０１の記憶部６１３に格納された画像データを一意に特定可能な値を示す。カメラＩＤ１４０２は、各定点カメラ１０４を一意に識別可能な値を示す。各定点カメラ１０４が撮像した画像データには当該カメラＩＤ１４０２が付与され、圃場確認依頼によって携帯端末１０３と定点カメラ１０４が通信して撮像が行われた場合は、携帯端末１０３によって撮像された画像データにもカメラＩＤ１４０２が付与される。イベントＩＤ１４０３は、圃場確認依頼によって撮像された画像データを一意に情報処理装置１０５が特定可能な値を示す。情報処理装置１０５は、指定のカメラＩＤ１４０２を利用して圃場確認依頼を発行する。そのため、圃場確認依頼の発行元となった定点カメラ１０４で撮像された画像データと、圃場確認依頼によって撮像された携帯端末１０３の画像データとを、イベントＩＤ１４０３を利用して対応付けることが可能となる。ファイルパス１４０４は、サーバ装置１０１に記憶されたファイルにアクセス可能なパス情報を示す。撮像時刻１４０５は、画像データをサーバ装置１０１に保存した日時を示す。図１０に示す情報処理装置１０５で表示される各画面では、画像データテーブル１４００を利用して各画像データの並び順をソートすることも可能となる。
【００８７】
ステップＳ７０７では、サーバ装置１０１のＣＰＵ２０１は、ステップＳ７０６で解析した画像データを、解析した結果に応じて画像データのファイル名を変換し、記憶部６１３の機能により記憶する。
【００８８】
ステップＳ７０８では、定点カメラ１０４のＣＰＵ４０１は、ステップＳ７０３で撮像した撮像時刻から、あらかじめ設定された撮像タイミングを用いて次回の撮像時刻を算出する。あらかじめ設定された撮像タイミングとは、例えば、撮像から１時間後、１５分後、といった撮像のタイミングを示す情報である。
【００８９】
以上により、図７の説明を終了する。図７の処理により、定点カメラ１０４は定期的に撮像を行い、撮像により得られた画像データをサーバ装置１０１に送信する。
【００９０】
次に、図８を用いて、本発明の実施形態における圃場確認依頼から圃場の撮像実施までの一連の処理を説明する。
【００９１】
ステップＳ８０１では、情報処理装置１０５のＣＰＵ５０１は、圃場の確認依頼を受け付け、圃場確認依頼送信部６５１の機能により圃場確認依頼を携帯端末１０３に対して送信する。情報処理装置１０５では、例えば図１１の確認依頼画面１１００にて圃場確認依頼の要求を受け付ける。情報処理装置１０５のＣＰＵ５０１は、圃場確認依頼とともに、指定の定点カメラ１０４のカメラＩＤ１４０２も送信する。カメラＩＤ１４０２は、例えば図１０に示す定点カメラ選択画面１０００の画面で選択を受け付ける。
【００９２】
図１０は、定点カメラ選択画面１０００の一例を示す画面である。定点カメラ選択画面１０００は、サーバ装置１０１で管理する定点カメラのカメラＩＤ１４０２の一覧を表示する。
【００９３】
ここで、図１１の確認依頼画面１１００について説明する。確認依頼画面１１００は、作業者選択受付部１１０１、依頼内容記載ボタン１１０２、依頼ボタン１１０３を含む。作業者選択受付部１１０１は、圃場確認依頼を送信する作業者の選択を受け付ける。依頼内容記載ボタン１１０２は、押下を受け付けると圃場確認依頼の詳細な内容の記載を受け付ける。依頼ボタン１１０３は、依頼内容記載ボタン１１０２で受け付けた内容を、作業者選択受付部１１０１で受け付けた作業者の携帯端末１０３に対して送信する。尚、圃場確認依頼は情報処理装置１０５から送信してもよいし、情報処理装置１０５で圃場確認依頼を受け付け、一度サーバ装置１０１に送信し、サーバ装置１０１で受信した圃場確認依頼を携帯端末１０３に送信してもよい。
【００９４】
ステップＳ８０２では、携帯端末１０３のＣＰＵ３０１は、圃場確認依頼受信部６３１の機能により、圃場確認依頼を受信する。圃場確認依頼を受信した際は、例えば図１１の圃場確認依頼受信画面１１１０のような画面を携帯端末１０３の画面に表示する。
【００９５】
ここで、図１１の圃場確認依頼受信画面１１１０について説明する。圃場確認依頼受信画面１１１０は、圃場確認依頼を受信した際に携帯端末１０３に表示する画面の一例である。圃場確認依頼受信画面１１１０は、依頼の詳細表示１１１１を備え、確認依頼画面１１００で受け付けた依頼内容を詳細表示１１１１で表示する。詳細表示１１１１には、定点カメラ１０４のカメラＩＤ１４０２を表示しても良い。
【００９６】
ステップＳ８０３では、携帯端末１０３のＣＰＵ３０１は、圃場に設置されている定点カメラ１０４と通信する。より具体的には、作業者によって定点カメラ１０４に携帯端末１０３がかざされ、無線通信によってかざされた定点カメラ１０４と通信する。尚、定点カメラ１０４と通信できれば、無線通信であっても有線通信であってもよい。また、このとき携帯端末１０３を所持する作業者は、定点カメラ１０４が設置されている圃場に移動しておく必要がある。
【００９７】
ステップＳ８０４では、携帯端末１０３のＣＰＵ３０１は、定点カメラリンク部６３２の機能により、定点カメラ１０４からカメラＩＤ１４０２を受信する。ここで、カメラＩＤ１４０２は、定点カメラ１０４からカメラＩＤ送信部６４３の機能により送信されたものである。そして、定点カメラＩＤチェック部６３３の機能により、携帯端末１０３のＣＰＵ３０１は、圃場確認依頼とともに受信したカメラＩＤ１４０２と、定点カメラ１０４から受信したカメラＩＤ１４０２とが一致するか否かを判定する。圃場確認依頼とともに受信したカメラＩＤ１４０２と、定点カメラ１０４から受信したカメラＩＤ１４０２とが一致すると判定した場合はステップＳ８０６に処理を進める。圃場確認依頼とともに受信したカメラＩＤ１４０２と、定点カメラ１０４から受信したカメラＩＤ１４０２とが一致しないと判定した場合はステップＳ８０５に処理を進める。
【００９８】
ステップＳ８０５では、携帯端末１０３のＣＰＵ３０１は、ステップＳ８０４でカメラＩＤ１４０２の一致を判定した結果、カメラＩＤ１４０２が一致しない場合に携帯端末１０３の画面にエラー通知を行う。エラー通知とは、例えば、図１２に示す確認失敗画面１２００である。
【００９９】
ここで、図１２の説明を行う。図１２は、図８のステップＳ８０４でカメラＩＤ１４０２の一致を確認した結果、カメラＩＤ１４０２が一致した場合と一致しなかった場合で携帯端末１０３の画面にそれぞれ表示して判定結果を通知する画面である。確認失敗画面１２００は、カメラＩＤ１４０２が一致しなかった場合に表示する画面であり、エラー表示１２０１を表示する。確認成功画面１２１０は、カメラＩＤ１４０２が一致した場合に表示する画面であり、成功表示１２１１を表示する。確認成功画面１２１０を表示した後は、携帯端末１０３のＣＰＵ３０１は、撮像のための画面を表示する。
【０１００】
ステップＳ８０６では、携帯端末１０３のＣＰＵ３０１は、ステップＳ８０４でカメラＩＤ１４０２の一致を判定した結果、カメラＩＤ１４０２が一致した結果を図１２の確認成功画面１２１０の表示にて通知する。そして、携帯端末１０３のＣＰＵ３０１は、携帯端末１０３のカメラ３１２を起動し、写真の撮像モードに変更する。尚、本実施形態では、携帯端末１０３が撮像モードに切り替えるためには、ステップＳ８０４でカメラＩＤ１４０２が一致したと判定される必要がある。つまり、ステップＳ８０４でカメラＩＤ１４０２が一致したと判定されない限り、写真の撮像ができないように制御する。これにより、作業者が間違った位置で撮像した画像データをサーバ装置１０１に送信することを抑止可能となる。また、カメラＩＤ１４０２の一致に限らず撮像を許可したとしても、撮像した画像データを送信させない、あるいは、サーバ装置１０１で受信した画像データを記憶しない（格納しない）、といった処理を行うことも可能である。当該処理により、間違った位置で取得された画像データを記憶することを防ぐことも可能である。
【０１０１】
ステップＳ８０７では、携帯端末１０３のＣＰＵ３０１は、携帯端末写真撮像部６３４の機能により、写真を撮像する。
【０１０２】
図１３の撮像画面１３００は、携帯端末１０３で撮像を行っている画面の一例を示す。ステップＳ８０６で撮像モードに変更された場合は、携帯端末１０３は撮像画面１３００を表示する。
【０１０３】
ステップＳ８０８では、携帯端末１０３のＣＰＵ３０１は、携帯端末データ送信部６３５の機能により、撮像した画像データをサーバ装置１０１に送信する。
【０１０４】
ステップＳ８０９では、サーバ装置１０１のＣＰＵ２０１は、データ受信部６１２の機能により画像データを受信する。
【０１０５】
ステップＳ８１０では、サーバ装置１０１のＣＰＵ２０１は、データソート部６１４の機能により受信した画像データを解析する。画像データの解析とは、受信した画像データに含まれる情報を、画像データテーブル１４００に格納することを示す。
【０１０６】
ステップＳ８１１では、サーバ装置１０１のＣＰＵ２０１は、ステップＳ８１０で解析した結果に応じて画像データのファイル名などを変換し、記憶部６１３の機能により画像データを格納する。
【０１０７】
ステップＳ８１２では、サーバ装置１０１のＣＰＵ２０１は、画像データを追加し、格納した画像データを更新した旨を示す追加イベントを発行し、情報処理装置１０５にイベント情報を送信する。イベント情報とは、画像データを参照するためにアクセス可能な情報のことを示し、イベント送信部６１５の機能により情報処理装置１０５に通知する。通知の方法は携帯端末１０３の画面に通知画面を表示してもよいし、情報処理装置１０５にメールを送信して通知してもよい。イベント情報の内容としては、例えば、サーバ装置１０１のＣＰＵ２０１がイベントＩＤ１４０３を発行し、イベントＩＤ１４０３の値を付与することで画像データにアクセスするためのＵＲＬを発行して、画像データが更新された情報を含む。当該画像データの更新とは、圃場確認依頼によって撮像された画像データがサーバ装置１０１に新しく記憶された場合と、定点カメラ１０４の画像データが新しく記憶された場合を含む。
【０１０８】
ステップＳ８１３では、情報処理装置１０５のＣＰＵ５０１は、サーバ装置１０１からイベント情報を受信する。
【０１０９】
以上で、図８の説明を終了する。図８の処理により、定点カメラ１０４の画像に関連するより詳細な画像を携帯端末１０３から取得でき、サーバ装置１０１に格納することが可能となる。このとき、ステップＳ８０６でも説明した通り、定点カメラ１０４のカメラＩＤ１４０２を用いて撮像を許可することにより、作業者が間違った位置で撮像した画像データをサーバ装置１０１に送信することを抑止可能となる。
【０１１０】
次に、図９を用いて、本発明の実施形態における、情報処理装置１０５で画像データを表示する一連の処理を説明する。ここで表示する画像データは、定点カメラ１０４と携帯端末１０３で撮像され、サーバ装置１０１に記憶されている画像データである。
【０１１１】
ステップＳ９０１では、情報処理装置１０５のＣＰＵ３０１は、データ公開部６１１の機能により、画像データをサーバ装置１０１から受信したイベント情報に含まれるＵＲＬにアクセスする。当該ＵＲＬに対するアクセスを受け付けると、情報処理装置１０５のＣＰＵ３０１は、サーバ装置１０１にアクセス要求を送信する。アクセスを受け付けるＵＲＬの引数は２種類存在し、画像データを特定するためのカメラＩＤ１４０２の値と、任意のイベントＩＤ１４０３の値が付与されている。イベントＩＤ１４０３が付与されるのは、圃場確認依頼によって撮像された画像が存在する場合である。
【０１１２】
ステップＳ９０２では、サーバ装置１０１のＣＰＵ２０１は、情報処理装置１０５からのアクセス要求を受け付け、アクセスを受け付けたＵＲＬにイベントＩＤ１４０３が付与されているか否かを判定する。イベントＩＤ１４０３が付与されていると判定した場合はステップＳ９０６に処理を進める。サーバ装置１０１のＣＰＵ２０１は、イベントＩＤ１４０３が付与されていないと判定した場合には、ステップＳ９０３に処理を進める。ここで、ＵＲＬにイベントＩＤ１４０３が付与されている場合は、圃場確認依頼による携帯端末１０３の画像データであることを示し、ＵＲＬにイベントＩＤ１４０３が付与されていない場合は、定点カメラ１０４の画像データであることを示す。
【０１１３】
ステップＳ９０３では、サーバ装置１０１のＣＰＵ２０１は、受信したＵＲＬにイベントＩＤ１４０３が付与されていなかった場合、データ公開部６１１の機能により、画像データテーブル１４００の中からカメラＩＤ１４０２に紐づく画像データ一覧を取得する。
【０１１４】
ステップＳ９０４では、サーバ装置１０１のＣＰＵ２０１は、取得した画像データ一覧の中にイベントＩＤ１４０３を持つ画像データが存在するか否かを判定する。サーバ装置１０１のＣＰＵ２０１は、イベントＩＤ１４０３を持つ画像データが存在すると判定した場合はステップＳ９０５に処理を進める。サーバ装置１０１のＣＰＵ２０１は、イベントＩＤ１４０３を持つ画像データが存在しないと判定した場合はステップＳ９０７に処理を進める。
【０１１５】
ステップＳ９０５では、サーバ装置１０１のＣＰＵ２０１は、取得した画像データにイベントＩＤ１４０３が存在すると判定した場合に、画像データに対してイベントＩＤ１４０３ごとに識別可能なパラメータを付与する。当該パラメータは、画像データを情報処理装置１０５で表示させる際に画像データを色やマークなどの識別表示で強調可能にするパラメータである。また、イベントＩＤ１４０３ごとにパラメータを付与するため、対応づいた画像データを認識しやすくする効果を奏する。ステップＳ９０５で強調可能に付与されたパラメータに基づく表示画面は、図１０の定点カメラ画面１０２０である。図１０の定点カメラ画面１０２０については、図１０の説明部分で後述する。
【０１１６】
ステップＳ９０６では、サーバ装置１０１のＣＰＵ２０１は、ステップＳ９０２で受信したＵＲＬにイベントＩＤ１４０３が付与されていると判定した場合に、画像データテーブル１４００の中からイベントＩＤ１４０３に紐づく画像データ一覧を取得する。
【０１１７】
ステップＳ９０７では、サーバ装置１０１のＣＰＵ２０１は、ステップＳ９０３からステップＳ９０５の処理に基づいて、取得した情報をもとに情報処理装置１０５に画像データを表示させるための画面情報を生成する。さらに、ステップＳ９０２の処理に基づいて、サーバ装置１０１のＣＰＵ２０１が画面情報を生成する。ステップＳ９０７で画面情報を生成したサーバ装置１０１のＣＰＵ２０１は、情報処理装置１０５に生成した画面情報を送信する。
【０１１８】
ここで、ステップＳ９０７で生成される画面情報に基づいて情報処理装置１０５で表示される、図１０の定点カメラ画面１０１０と定点カメラ画面１０２０について説明する。定点カメラ画面１０１０と定点カメラ画面１０２０は情報処理装置１０５で表示可能な画面であり、サーバ装置１０１に記憶されている定点カメラ１０４と携帯端末１０３で撮像された画像データが表示される画面である。定点カメラ画面１０１０は、表示画面１０１１、サムネイル画面１０１２、カメラＩＤ表示１０１３を含む。尚、表示画面１０１１とサムネイル画面１０１２は図１０の定点カメラ画面１０２０と圃場確認時の画面１０３０にも共通して含まれる。サムネイル画面１０１２はこれまでに撮像された画像の一覧がサムネイル画像として表示される欄であり、サムネイル画面１０１２で選択を受け付けると表示画面１０１１に拡大して表示される。また、定点カメラ画面１０１０で表示される画像は、カメラＩＤ表示１０１３に表示されたカメラＩＤ１４０２に紐づく画像である。定点カメラ画面１０１０は、図９のステップＳ９０３で取得された、定点カメラ１０４で撮像された画像データであり、かつステップＳ９０４でイベントＩＤ１４０３に紐づく画像データがなかった場合に表示される画面を示す。定点カメラ画面１０２０は、強調表示１０２１を含む。定点カメラ画面１０２０は、定点カメラ１０４と携帯端末１０３で撮像され、それぞれ対応づいた画像データが表示される画面である。尚、表示画面１０１１と対応づいた画像データは、強調表示１０２１で他の対応づかない画像データと識別可能に表示される。この強調表示１０２１は、図９のステップＳ９０５で付与されたパラメータに基づいて情報処理装置１０５で表示される。
【０１１９】
さらに、図１０の圃場確認時の画面１０３０について説明する。圃場確認時の画面１０３０は、イベントＩＤ表示１０３１を含む。圃場確認時の画面１０３０は、圃場確認依頼によって取得された、携帯端末１０３で撮像された画像データを表示させる画面の一例を示す。
【０１２０】
ステップＳ９０８では、情報処理装置１０５のＣＰＵ５０１は、サーバ装置１０１から受信した画面情報をもとに、表示制御部６５２の機能により画像データを表示するよう制御する。ここで画像データを表示する画面は、図１０の定点カメラ画面１０１０と定点カメラ画面１０２０、および圃場確認時の画面１０３０である。
【０１２１】
以上で、図９の説明を終了する。図９の処理により、ユーザは、定点カメラ１０４で撮像された画像、および圃場確認依頼によって携帯端末１０３で撮像された画像を容易に確認可能となる。また、本実施形態では、カメラＩＤ１４０２やイベントＩＤ１４０３によって定点カメラ１０４と携帯端末１０３でそれぞれ撮像された画像データ同士が対応付けられる。そのためユーザが定点カメラ１０４と携帯端末１０３とで撮像された画像データをそれぞれ対応付けなくても、その対応関係が情報処理装置１０５の表示画面で確認可能となる。
【０１２２】
以上により、本発明によれば、指定された位置の撮像依頼に対して作業者による誤った位置の撮像を抑制することが可能な効果を奏する。
【０１２３】
本発明は、例えば、システム、装置、方法、プログラム若しくは記憶媒体等としての実施形態も可能であり、具体的には、複数の機器から構成されるシステムに適用してもよいし、また、１つの機器からなる装置に適用してもよい。
【０１２４】
なお、本実施形態は、コンピュータや制御コンピュータがプログラム（コンピュータプログラム）を実行することによって実現することもできる。また、プログラムをコンピュータに供給するための手段、例えばかかるプログラムを記録したＣＤ−ＲＯＭ等のコンピュータが読み取り可能な記録媒体又はかかるプログラムを伝送するインターネット等の伝送媒体も実施例として適用することができる。また、上記のプログラムも実施形態として適用することができる。上記のプログラム、記録媒体、伝送媒体およびプログラムプロダクトは、本発明の範疇に含まれる。
【０１２５】
以上、実施形態に基づいて詳述してきたが、特定の実施形態に限られるものではなく、発明の要旨を逸脱しない範囲の様々な形態も本発明の範疇に含まれる。さらに、上述した実施形態は一実施形態を示すものにすぎず、上述した実施形態から容易に想像可能な発明も本発明の範疇に含まれる。
【符号の説明】
【０１２６】
１０１  サーバ装置
１０２  ＷＡＮ
１０３  携帯端末
１０４  定点カメラ
１０５  情報処理装置
２０１  ＣＰＵ
２０２  ＲＯＭ
２０３  ＲＡＭ
２１１  外部メモリ
３０１  ＣＰＵ
３０２  ＲＯＭ
３０３  ＲＡＭ
３１０  タッチパネル
３１２  カメラ
４０１  ＣＰＵ
４０２  ＲＯＭ
４０３  ＲＡＭ
４０６  カメラ
５０１  ＣＰＵ
５０２  ＲＯＭ
５０３  ＲＡＭ
５１０  ディスプレイ
５１１  外部メモリ
【図１】
2019121055.tif 000003
【図２】
2019121055.tif 000004
【図３】
2019121055.tif 000005
【図４】
2019121055.tif 000006
【図５】
2019121055.tif 000007
【図６】
2019121055.tif 000008
【図７】
2019121055.tif 000009
【図８】
2019121055.tif 000010
【図９】
2019121055.tif 000011
【図１０】
2019121055.tif 000012
【図１１】
2019121055.tif 000013
【図１２】
2019121055.tif 000014
【図１３】
2019121055.tif 000015
【図１４】
2019121055.tif 000016